(57)【要約】【課題】 スクラッチ層で隠されているサービス情報のバーコードも印刷しておくようにしたスクラッチ層を有するカードを提供すること。【解決手段】 サービス情報４７ａ〜４７ａと、このサービス情報を示すバーコード４８ａ〜４８ｃがカードの主面に印字され、サービス情報の全体及びバーコードの一部を覆うようにスクラッチ層４７ａ〜４７ｃが形成されたことを特徴とするスクラッチ層を有するカードである。【選択図】      図５
2005238580.tif 000002
【特許請求の範囲】
【請求項１】
サービス情報と、このサービス情報を示すコード化されたシンボルがカードの主面に印字され、前記サービス情報の全体及び前記シンボルの一部を覆うようにスクラッチ層が形成されたことを特徴とするスクラッチ層を有するカード。
【請求項２】
サービス情報と、このサービス情報を示すシンボルがカードの主面に印字され、前記サービス情報の全体を覆うようにスクラッチ層が形成され、このスクラッチ層の端部は前記シンボルの端部に近接していることを特徴とするスクラッチ層を有するカード。
【請求項３】
前記スクラッチ層は顧客情報が印字された面と同じ面に印字されていることを特徴とする請求項１あるいは２記載のスクラッチ層を有するカード。
【請求項４】
前記スクラッチ層は住所が印字された面と同じ面に印字されているダイレクトメールとしたことを特徴とする請求項１あるいは２記載のスクラッチ層を有するカード。
【請求項５】
前記カードには主面は感熱紙であることを特徴とする請求項１あるいは２記載のスクラッチ層を有するカード。
【発明の詳細な説明】
【技術分野】
【０００１】
本発明は、賞金等のサービス情報をスクラッチ層で覆ったカードに関する。
【背景技術】
【０００２】
剥離除去可能なスクラッチ層を有するプリペイカードや、剥離可能なスクラッチ部を有する特典付き印刷物が知られている（例えば、特許文献１及び２を参照）。
【０００３】
このようなスクラッチ層を有するカードを用いてダイレクトメールを作成した場合を考察する。例えば、スクラッチ層の下面に当選金額等を印刷しておく。顧客が該当するスクラッチ層を除去すると、印刷された当選金額が露出する。その後、顧客は当選したカードを持参してカード差出人であるスーパーに行って、その当選金額が露出されたカードを店員に見せる。店員は登録時にその当選金額を視認した後、キー入力する。
【特許文献１】特開平１０−２１４３２０号公報
【特許文献２】特開２００２−３０７８８１号公報
【発明の開示】
【発明が解決しようとする課題】
【０００４】
このように、店員が当選金額をキー入力しなければならないため、その入力が煩雑であった。
【０００５】
本発明は上記の点に鑑みてなされたもので、その目的は、スクラッチ層で隠蔽されているサービス情報のバーコードを印刷しておくようにしたスクラッチ層を有するカードを提供することにある。
【課題を解決するための手段】
【０００６】
サービス情報と、このサービス情報を示すバーコードがカードの主面に印字され、前記サービス情報の全体及び前記バーコードの一部を覆うようにスクラッチ層が形成されたことを特徴とするスクラッチ層を有するカードである。
【発明の効果】
【０００７】
本発明は、スクラッチ層の裏面側に印刷されているサービス情報に対するコード化されたシンボルを印刷しておくようにしたので、スーパーマーケットの店員はいちいちサービス情報を手入力する必要がなく、煩雑化を抑制することができる。
【発明を実施するための最良の形態】
【０００８】
以下、図面を参照して本発明の一実施の形態について説明する。
【０００９】
図１は、スクラッチカードプリンタ１を示す外観斜視図、図２はスクラッチカードプリンタ１の構成を概略的に示す縦断側面図である。図１に示すように、スクラッチカードプリンタ１は、プリンタ本体２とこのプリンタ本体２に着脱自在に取り付けられた給紙装置３とから構成されている。給紙装置３には、カードＣがスタックされている。この実施の形態では、カードＣはそのコストを安価なものとするために、カード其材として下地感熱紙を用いている。つまり、カードＣの裏面には感熱紙基材上に感熱紙発色層が形成されている。この感熱紙発色層は、所定温度に熱が与えられるとその部分が発色するようになっている。
【００１０】
カードＣは給紙装置３によりプリンタ本体２へ供給され、プリンタ本体２により印字される。プリンタ本体２には、カバー４，５が設けられている。カバー５は、カバー４に対して着脱自在に取り付けられている。そして、カバー５がカバー４に取り付けられた状態では、プリンタ２の前面にカード発行口６が形成される。
【００１１】
図２に示すように、プリンタ本体２の内部には、給紙装置３からカード発行口６までカード搬送経路７が形成されており、カード搬送経路７上に設けられた回転自在な搬送ローラ対８により保持されたカードは、給紙装置３からカード搬送経路７に引き込まれた後、カード搬送経路７上に設けられた回転自在な搬送ローラ対９に引き渡され、カード発行口６近傍の搬送ローラ対１４によってカード発行口６から排出されるように案内される。
【００１２】
また、カード搬送経路７には、印字機構１０ａ及び１０ｂが設けられている。印字機構１０（１０ａ，１０ｂ）は、ステッピングモータＭ（Ｍａ，Ｍｂ）によって回転駆動される回転自在なプラテンローラ１１（１１ａ，１１ｂ）と、このプラテンローラ（１１ａ，１１ｂ）にカード搬送経路７を介して当接するライン状に配列された多数個の発熱素子を有するサーマルヘッド１２（１２ａ，１２ｂ）とにより形成されている。
【００１３】
サーマルヘッド１２（１２ａ，１２ｂ）は、ヘッド保持板１３（１３ａ，１３）により保持され、このヘッド保持板１３（１３ａ，１３）は、図示しないスプリングによってサーマルヘッド１２（１２ａ，１２ｂ）がプラテンローラ（１１ａ，１１ｂ）に押し付けられる方向に付勢されている。
【００１４】
サーマルヘッド１２ａとプラテンローラ１１ａとの間は、カードＣが搬送され、サーマルヘッド１２ａの発熱素子を選択的に発熱させることにより、感熱紙発色層を感熱させて文字情報を印字するようにしている。
【００１５】
また、サーマルヘッド１２ｂとプラテンローラ１１ｂとの間には、隠蔽用の例えば銀色の熱転写リボンが介在しており、サーマルヘッド１２ｂの発熱素子を選択的に発熱させることで隠蔽用の熱転写リボン１５のインクを溶融又は昇華させてカードに印字する。未使用の隠蔽用の熱転写リボン１５は、フレーム１６に一端を支持された供給軸１７に保持される。また、使用された隠蔽用の熱転写リボン１５はフレーム１６に一端を支持された巻取軸１８に巻き取られる。巻取軸１８は、ギア列によって伝達されるステッピングモータＭｂからの駆動力により回転駆動される。
【００１６】
図３は、スクラッチカードプリンタ１のシステム構成を示すブロック図である。図において、プラテンローラ１１ａ等を回転駆動させるためのステッピングモータＭａ、プラテンローラ１１ｂ等を回転駆動させるためのステッピングモータＭｂおよびサーマルヘッド１２（１２ａ，１２ｂ）等の各部は、ＣＰＵ（中央処理装置）１９等により駆動制御される。
【００１７】
このＣＰＵ１９には、ＲＯＭ（リード・オンリ・メモリ）２１とＲＡＭ２２とがシステムバス２３を介して接続される。
【００１８】
また、印字機構１０（１０ａ，１０ｂ）における印字動作のためにマイクロコンピュータ２０により駆動制御される各部として、プラテンローラ１１ａ等を回転駆動させ るためのステッピングモータＭａを駆動制御するためのモータドライバ２４と、プラテンローラ１１ｂ等を回転駆動させるためのステッピングモータＭｂを駆動制御するためのヘッドドライバ２６とが設けられている。これらのモータドライバ２４，２５およびヘッドドライバ２６はシステムバス２３に接続される。ここで、ヘッドドライバ２６は、２つのサーマルヘッド１２ａ，１２ｂを別々に駆動制御可能である。
【００１９】
また、スクラッチカードプリンタ１は、例えばホストコンピュータから転送された印字情報をインタフェース３１を介して取り込んで、画像メモリ３２に展開する。インタフェース３１および画像メモリ３２はシステムバス３２に接続される。
【００２０】
次に、上記のように構成された本発明の一実施の形態の動作について説明する。まず、カードＣの表面に、図４に示すような商品の広告を予め印刷しておく。そして、カードＣの感熱紙発色層が形成された主面（裏面）を上側にして、カードＣを給紙装置３にスタックする。
【００２１】
次に、ホストコンピュータからインタフェース３１を介してスクラッチカードプリンタ１に対して印字開始命令及び印字情報が送信される。この印字情報としては住所データ、
この住所データに対するバーコードデータ、会員番号データ、この会員番号データに対するバーコードデータ、サービス情報としての賞金データ、この賞金データに対するバーコードデータが含まれている。これら印字情報には、印字すべきデータをどの領域に印字すべきかを示す位置情報も含んでいる。
【００２２】
この実施の形態では、スクラッチ層が転写される領域は図５のＡ〜Ｃの３箇所存在する。そして、このスクラッチ層により隠蔽される領域の一つには賞金データが印刷される。
【００２３】
ホストコンピュータからの印字開始命令に応答してスクラッチカードプリンタ１の印字動作が開始する。
【００２４】
まず、搬送ローラ８によりカード搬送経路７に引き込まれたカードＣは、サーマルヘッド１２ａとプラテンローラ１１ａとの間を搬送される。サーマルヘッド１２ａの発熱素子を選択的に発熱させることにより、感熱紙発色層を感熱させてカードＣの裏面に図５に示すような文字情報及びバーコードを印字するようにしている。
【００２５】
例えばカードＣの裏面には、顧客の住所４１、顧客の氏名４２、顧客の住所等を記録しているバーコード４３、顧客情報としての会員番号４４、この会員番号４４を記録しているバーコード４５が印字される。
【００２６】
なお、図５では、スクラッチ層４６が転写されている。このスクラッチ層４６はサーマルヘッド１２ｂの発熱素子を選択的に発熱させることにより、隠蔽用の熱転写リボン１５の銀色のインクをカードＣに印字することにより形成される。カードＣの裏面にサーマルヘッド１２ａにより文字情報及びバーコードが印字された後に、カードＣがカード搬送経路７を介して搬送され、隠蔽部分にスクラッチ層４６が形成される。
【００２７】
ところで、カードＣがサーマルヘッド１２ａの下面を搬送されるときには、スクラッチ層４６は形成されていない。このサーマルヘッド１２ａによりスクラッチ層４６で隠蔽される部分に賞金データが印字される。
【００２８】
図５に示すように、Ａ〜Ｃに対応する部分にスクラッチ層４６ａ〜４６ｃが印字される。この実施の形態では、スクラッチ層４６ｂの下側に賞金データ『１０００円』４８ｂがサーマルヘッド１２ａにより印刷される。なお、スクラッチ層４６ａ，４６ｃの下側にはサービス情報としての賞金データ４７ａ，４７ｃが印刷されているものとする。
【００２９】
また、スクラッチ層４６ａ〜４６ｃで隠蔽されている賞金データ４７ａ〜４７ｃを示すコード化されたシンボルとしてのバーコード４８ａ〜４８ｃも各々スクラッチ層４６ａ〜４６ｃの近傍に印字されている。
【００３０】
そして、これらバーコード４８ａ〜４８ｃの一部はスクラッチ層４６ａ〜４６ｃに覆われるように印刷される。これは、バーコードの一部がバーとして認識されない場合に全体としてバーコードとして認識されない性質を利用して、スクラッチ層４６ａ〜４６ｃを顧客が削り取る前に、バーコード４８ａ〜４８ｃをスキャンして記憶されている賞金データを読み取られることを防止するためである。
【００３１】
以上のようにして、サーマルヘッド１２ａにおいて、スクラッチ層４６ａ〜４６ｃ以外の文字情報及びバーコードが印字された後、サーマルヘッド１２ｂにおいてＡ〜Ｃの隠蔽部分に隠蔽用の銀色の熱転写リボン１５のインクを溶融又は昇華させて印字する。このようにして、隠蔽部分Ａ〜Ｃにはスクラッチ層４６ａ〜４６ｃが形成される。
【００３２】
この際、スクラッチ層４６ａ〜４６ｃの端部Ａがバーコード４８ａ〜４８ｃの端部を覆うように形成される。
【００３３】
このようにすることにより、カードＣを発行する側の人が不正にバーコード４８ａ〜４８ｃをスキャナ等により読み取ってしまうような行為を未然に防止することができる。
【００３４】
また、スクラッチ層４６ａ〜４６ｃの端部Ａがバーコード４８ａ〜４８ｃの端部を覆う面積は、バーコード４８ａ〜４８ｃを読み取ることができないような最小限な大きさで良い。これは、隠蔽部分Ａ〜Ｃのいずれか一つを削り取って賞金データが印刷してあった場合には、顧客がバーコードの部分を覆っているスクラッチ層も全て取り除かなければならないからである。言い換えれば、顧客が取り除くスクラッチ層は、目視で認識する賞金データ４７ａ〜４７ｃと、これ以外の必要最低限でよい。
【００３５】
例えば、隠蔽部分Ｂに賞金データ『１０００円』が印字されており、顧客が隠蔽部分Ｂのスクラッチ層４６ｂを削り取った場合は、図６に示すような状態となる。ここで、バーコード４８ｂの端部を覆っていたスクラッチ層４６ｂは完全に除去されている。
【００３６】
このようなカードＣを所持している顧客は、このカードを企画したスーパーマーケット等に行く。そして、スーパーに備えられているＰＯＳ端末機でバーコード４８ｂを読み取られる。つまり、隠蔽部分４６ｂに印字されている賞金データ『１０００円』をキー入力することなく、バーコード４８ｂを読み取ることによりＰＯＳ端末機に入力することができるので、オペレータの負担を大幅に減少させることができる。
【００３７】
また、賞金データが印字されている隠蔽部分Ｃに隣接している隠蔽部分Ａ，Ｃに対応するバーコード４８ａ，４８ｃの端部はスクラッチ層４６ａ，４６ｃは覆われているので、顧客が当たりカードを持参してスーパーマーケットに行って、店員が誤って他のバーコード４８ａ，４８ｃに記録されたデータを読み取ることを未然に防止することができる。
【００３８】
また、ＰＯＳ端末機でバーコード４８ａ〜４８ｃに記録されている賞金データを入力することができるので、ＰＯＳの顧客データペースを蓄積することにより効果的な販売促進を行うことができる。
【００３９】
カードＣの主面を感熱紙を形成させておくことにより、サービス情報の内容を容易に変更することができるばかりなく、カードＣの枚数も少量から印刷することが可能である。
【００４０】
なお、スクラッチ層４６の端部をバーコード４８の端部を覆った場合でも、図８に示すようにバーコード４８の長手方向にスキャンできるラインａが存在していては不適である。
【００４１】
なお、上記した実施の形態では、スクラッチ層４６ａ〜４６ｃの端部はバーコード４８ａ〜４８ｃの一部を覆っていたが、図７に示すようにスクラッチ層４６の端部がバーコード４８の端部の近傍に形成するようにしても良い。このスクラッチ層とバーコード４８ａ〜４８ｃの端部との間は、それぞれのバーコード４８ａ〜４８ｃが独立していると認識される距離よりも狭いものである。このようにすることにより、バーコードを読み取らせなくすることができる。この場合に、スクラッチ層を形成する材質は、スキャンした際にバーコードの一部としてスキャナに認識される材質（色）である必要がある。
【００４２】
なお、サービス情報として賞金に限らず割引率であっても良いし、顧客サービスに相当するものであれば何でも良い。また、本実施の形態ではバーコードを用いたカードで説明したが、これに限らず人が目視して情報として認識できない例えば２次元コードなどのコード化されたシンボルであれば良い。
【図面の簡単な説明】
【００４３】
【図１】本発明の一実施の形態に係わるスクラッチ層を有するカードを印刷するプリンタの斜視図。
【図２】同プリンタの要部断面図。
【図３】同プリンタのシステム構成を示す図。
【図４】同カードの表面の印字内容を示す図。
【図５】同カードの裏面の印字内容を示す図。
【図６】同カードの裏面に印刷されたスクラッチ層の１つを剥がした状態を示す図。
【図７】同カードの裏面に印刷されたバーコードの一部が重なるようにスクラッチ層を印刷した状態を示す図。
【図８】同カードの裏面に印刷されたバーコードの一部が重なるようにスクラッチ層を印刷した状態を示す図。
【符号の説明】
【００４４】
１…スクラッチカードプリンタ、３…給紙装置、１０…印字機能。
【図１】
2005238580.tif 000003
【図２】
2005238580.tif 000004
【図３】
2005238580.tif 000005
【図４】
2005238580.tif 000006
【図５】
2005238580.tif 000007
【図６】
2005238580.tif 000008
【図７】
2005238580.tif 000009
【図８】
2005238580.tif 000010